(57)【特許請求の範囲】
【請求項１】
住宅の基礎コンクリートの立ち上がり部分を厚み方向に貫通するように配設され、前記立ち上がり部分で囲まれた空間に溜まった水を前記基礎コンクリートの外へ排水するための床下用排水管を備えた床下用排水構造において、
前記床下用排水管の一端部には、前記立ち上がり部分の外に向けて開口する排水口が形成され、
前記床下用排水管の他端部には、当該床下用排水管よりも短く形成されるとともに、当該床下用排水管を前記基礎コンクリート内で延長するための筒状の延長部材が接続可能な接続部が設けられ、
前記床下用排水管の前記接続部は、前記延長部材の内周面に嵌まる排水管側嵌合筒部で構成され、
前記排水管側嵌合筒部の外周面には、前記排水管側嵌合筒部の径方向外方へ突出する凸部からなり、前記延長部材に係合する複数の係合部が前記排水管側嵌合筒部の周方向に互いに間隔をあけて設けられ、
前記延長部材における前記床下用排水管との接続側には、前記排水管側嵌合筒部の外周面に沿うように形成された接続側内周面が設けられ、
前記接続側内周面には、前記係合部が入って係合する凹部が形成されていることを特徴とする床下用排水構造。
【請求項２】
請求項１に記載の床下用排水構造において、
前記延長部材における前記床下用排水管との接続側と反対側は、別の延長部材が接続可能に構成されていることを特徴とする床下用排水構造。
【請求項３】
請求項１または２に記載の床下用排水構造において、
前記基礎コンクリートはベタ基礎であり、前記床下用排水管はベタ基礎の立ち上がり部分に配設されることを特徴とする床下用排水構造。
【請求項４】
請求項１に記載の床下用排水構造において、
前記延長部材における前記床下用排水管との接続側と反対側は、別の延長部材の内周面に嵌まる延長部材側嵌合筒部で構成されていることを特徴とする床下用排水構造。
【請求項５】
請求項１から４のいずれか１つに記載の床下用排水構造において、
前記床下用排水管の下部は、水平方向に延びるように形成された底板部で構成されていることを特徴とする床下用排水構造。
【請求項６】
請求項１から４のいずれか１つに記載の床下用排水構造において、
前記床下用排水管の下部の外面は、下方へ膨出するように形成されていることを特徴とする床下用排水構造。
【請求項７】
請求項１から６のいずれか１つに記載の床下用排水構造において、
前記延長部材は、中心線方向の一端部が他端部よりも上に位置するように曲がった屈曲管を含んでいることを特徴とする床下用排水構造。
【発明の詳細な説明】
【技術分野】
【０００１】
本発明は、住宅の基礎に設けられる床下用排水構造に関する。
【背景技術】
【０００２】
従来より、住宅の床下構造として、例えば布基礎工法やベタ基礎工法等によって形成された基礎コンクリートの立ち上がり部分（立ち基礎ともいう）に排水管を設けた構造が知られている（例えば特許文献１参照）。特許文献１の排水管は、基礎コンクリートの立ち上がり部分を貫通するように、当該立ち上がり部分に埋め込まれた状態で保持されている。排水管の一端部は、基礎コンクリートの立ち上がり部分で囲まれた空間に連通し、また、排水管の他端部は、基礎コンクリートの外面で開口している。
【０００３】
このような排水管を設けておくことで、例えば基礎コンクリートの立ち上がり部分で囲まれた空間に水が溜まった際に、その水を排水管によって外部へ排水することが可能になる。なお、通常時、排水管には蓋を取り付けておくことができるようになっている。
【先行技術文献】
【特許文献】
【０００４】
【特許文献１】特開２０１２−２０７４９９号公報
【発明の概要】
【発明が解決しようとする課題】
【０００５】
ところで、特許文献１の排水管のように基礎コンクリートの立ち上がり部分を貫通させる場合、排水管に必要な最低限の長さは立ち上がり部分の厚みに相当する長さであるが、立ち上がり部分の厚みは一定であるとは限らず、例えば住宅の規模や仕様、施工会社等によって異なっており、一定の厚みではない。このため、基礎コンクリートの立ち上がり部分の厚みに応じて長さが異なる複数種の排水管を用意しておく必要があった。
【０００６】
すなわち、例えば基礎コンクリートの立ち上がり部分の厚みが１５０ｍｍ、１７０ｍｍ、２００ｍｍ等である場合、１５０ｍｍの排水管、１７０ｍｍの排水管、２００ｍｍの排水管が必要であるため、排水管の製造現場では、１５０ｍｍの排水管を製造した後、段取り替えして１７０ｍｍの排水管を製造し、その後、段取り替えして２００ｍｍの排水管を製造するといったように、作業が煩雑であった。しかも、１５０ｍｍの排水管、１７０ｍｍの排水管、２００ｍｍの排水管のそれぞれをある程度の個数製造し、在庫として保管しておかなければならず、保管スペースの確保も問題であった。排水管の長さの種類は３種類であるとは限らず、その種類が増えれば増えるほど上述した問題が顕著なものになる。
【０００７】
本発明は、かかる点に鑑みてなされたものであり、その目的とするところは、基礎コンクリートの立ち上がり部分に排水管を配設する場合に、立ち上がり部分の厚みの変化に容易に対応できるようにすることにある。
【課題を解決するための手段】
【０００８】
上記目的を達成するために、本発明では、排水管に延長部材を接続可能にし、想定される立ち上がり部分の厚みのうち、最も薄い厚みに対応した排水管を製造しておき、立ち上がり部分が厚い場合にはその厚みに応じて延長部材を接続して対応できるようにした。
【０００９】
第１の発明は、住宅の基礎コンクリートの立ち上がり部分を厚み方向に貫通するように配設され、前記立ち上がり部分で囲まれた空間に溜まった水を前記基礎コンクリートの外へ排水するための床下用排水管を備えた床下用排水構造において、前記床下用排水管の一端部には、前記立ち上がり部分の外に向けて開口する排水口が形成され、前記床下用排水管の他端部には、当該床下用排水管よりも短く形成されるとともに、当該床下用排水管を前記基礎コンクリート内で延長するための筒状の延長部材が接続可能な接続部が設けられ、前記床下用排水管の前記接続部は、前記延長部材の内周面に嵌まる排水管側嵌合筒部で構成され、前記排水管側嵌合筒部の外周面には、前記排水管側嵌合筒部の径方向外方へ突出する凸部からなり、前記延長部材に係合する複数の係合部が前記排水管側嵌合筒部の周方向に互いに間隔をあけて設けられ、前記延長部材における前記床下用排水管との接続側には、前記排水管側嵌合筒部の外周面に沿うように形成された接続側内周面が設けられ、前記接続側内周面には、前記係合部が入って係合する凹部が形成されていることを特徴とする。
【００１０】
すなわち、基礎コンクリートの立ち上がり部分の様々な厚みのうち、想定される最も薄い厚みの立ち上がり部分に対応した長さの床下用排水管と、複数の延長部材とを用意しておく。そして、施工時、最も薄い厚みの立ち上がり部分に対しては、床下用排水管のみを配設することで、立ち上がり部分で囲まれた空間に溜まった水を排水することができる。立ち上がり部分が厚い場合には、延長部材を床下用排水管の接続部に接続することで、立ち上がり部分の厚みに対応した長さにすることが可能になる。例えば、床下用排水管の接続部に延長部材を接続することで長さを変化させることができるので、立ち上がり部分の厚みが多様であっても、床下用排水管と延長部材を用意しておくだけで対応できる。
【００１１】
また、延長部材を床下用排水管に接続する際、排水管側嵌合筒部を延長部材の内周面に嵌めることで容易に接続できる。このとき、嵌合筒部の係合部を延長部材に係合させることで、施工時や施工後において延長部材が床下用排水管から外れ難くなる。
【００１２】
第２の発明は、前記延長部材における前記床下用排水管との接続側と反対側は、別の延長部材が接続可能に構成されている。
【００１３】
この構成によれば、複数の延長部材を使用して排水経路を構成することができる。
【００１４】
第３の発明は、前記基礎コンクリートはベタ基礎であり、前記床下用排水管はベタ基礎の立ち上がり部分に配設されることを特徴とする。
【００１５】
この構成によれば、ベタ基礎の立ち上がり部分に、延長部材が接続可能な床下用排水管を配設することで、ベタ基礎の様々な厚みの立ち上がり部分に対して排水構造を設けることができる。
【００１６】
第４の発明は、前記延長部材における前記床下用排水管との接続側と反対側は、別の延長部材の内周面に嵌まる延長部材側嵌合筒部で構成されていることを特徴とする。
【００１７】
この構成によれば、延長部材に別の延長部材を接続する際、延長部材側嵌合筒部を別の延長部材の内周面に嵌めることで容易に接続できる。
【００１８】
第５の発明は、前記床下用排水管の下部は、水平方向に延びるように形成された底板部で構成されていることを特徴とする。
【００１９】
すなわち、施工時には、床下用排水管を底盤コンクリートに載置した後、型枠内にコンクリートを打設して立ち上がり部分を形成することになるが、床下用排水管を底盤コンクリートに載置する際、床下用排水管の底板部が水平方向に延びているので、床下用排水管が傾き難くなり、床下用排水管を狙い通りに設置することができる。
【００２０】
第６の発明は、前記床下用排水管の下部の外面は、下方へ膨出するように形成されていることを特徴とする。
【００２１】
この構成によれば、施工時、床下用排水管を底盤コンクリートに載置したとき、床下用排水管の下面が下方へ膨出する形状となっているので、床下用排水管の下面を底盤コンクリートに押しつけることにより、床下用排水管の下面と底盤コンクリートとの間の空気を抜くことができる。
【００２２】
第７の発明は、前記延長部材は、中心線方向の一端部が他端部よりも上に位置するように曲がった屈曲管を含んでいることを特徴とする。
【００２３】
この構成によれば、床下用排水管を直管とした場合に、その床下用排水管の接続部に屈曲管を接続することで、全体として屈曲した排水経路を形成することができるので、現場の状況に応じた施工が可能になり、例えば鉄筋を避けるように排水経路を形成できる。
【発明の効果】
【００２４】
本発明によれば、床下用排水管と延長部材とを用意しておき、床下用排水管に延長部材を接続することによって基礎コンクリートの立ち上がり部分の厚みの変化に容易に対応することができる。
【図面の簡単な説明】
【００２５】
【図１】本発明の実施形態に係る床下用排水構造の断面図である。
【図２】蓋部材、床下用排水管及び延長部材の側面図である。
【図３】床下用排水の断面図である。
【図４】図３におけるIV−IV線に相当する断面図である。
【図５】延長部材の断面図である。
【図６】図５におけるVI−VI線に相当する断面図である。
【図７】図５におけるVII−VII線に相当する断面図である。
【図８】屈曲管からなる延長部材を使用した例を示す床下用排水管及び延長部材の断面図である。
【図９】変形例１に係る床下用排水管を示す図４相当図である。
【図１０】変形例２に係る床下用排水管を示す図４相当図である。
【図１１】配筋及び型枠の設置が完了し、コンクリートを打設する前の状態を示す断面図である。
【図１２】底盤コンクリートの打設が完了し、床下用排水管を載置した状態を示す断面図である。
【図１３】立ち上がり部分の型枠を設置してコンクリートを打設した状態を示す断面図である。
【図１４】屈曲管からなる延長部材を使用した例の図１２相当図である。
【図１５】屈曲管からなる延長部材を使用した例の図１３相当図である。
【図１６】屈曲管からなる延長部材を使用した例の図１相当図である。
【発明を実施するための形態】
【００２６】
以下、本発明の実施形態を図面に基づいて詳細に説明する。尚、以下の好ましい実施形態の説明は、本質的に例示に過ぎず、本発明、その適用物或いはその用途を制限することを意図するものではない。
【００２７】
図１は、本発明の実施形態に係る床下用排水構造Ａの断面図である。この実施形態では、床下用排水構造Ａが住宅の基礎コンクリート１に適用されている場合について説明する。基礎コンクリート１は、ベタ基礎である。
【００２８】
基礎コンクリート１は、底盤コンクリート２と、底盤コンクリート２の周縁部から立ち上がる立ち上がり部分（立ち基礎）３とを有している。底盤コンクリート２及び立ち上がり部分３には、複数の鉄筋４が縦横に交差するように配設されている。立ち上がり部分３は平面視で環状に設けられることになるので、例えば豪雨の際には、立ち上がり部分３で囲まれた空間に水が溜まることがある。この立ち上がり部分３で囲まれた空間に溜まった水を排水するための構造が床下用排水構造Ａである。
【００２９】
図２に示すように、床下用排水構造Ａは、立ち上がり部分３で囲まれた空間に溜まった水を基礎コンクリート１の外へ排水するための排水経路を構成する床下用排水管１０と、通常時に床下用排水管１０を閉じておくための蓋部材１１とを備えている。また、床下用排水構造Ａは、床下用排水管１０と蓋部材１１の他に、１つまたは複数の延長部材２０を備えていてもよい。延長部材２０は必要に応じて床下用排水管１０に接続される部材であり、延長部材２０を床下用排水管１０に接続することで、排水経路を延長することが可能になる。
【００３０】
図１に示すように延長部材２０が無い状態で床下用排水構造Ａを構成することもできる。さらに、図８に示すように、床下用排水構造Ａは、屈曲管からなる延長部材３０を備えていてもよく、この延長部材３０を床下用排水管１０に接続することによっても、排水経路を延長することが可能になる。
【００３１】
上述したように、本実施形態の延長部材には、直管状の延長部材２０と、屈曲管からなる延長部材３０とが含まれており、必要に応じて一方のみまたは両方を組み合わせて使用することができる。延長部材３０は、１つだけ使用してもよいし、複数使用してもよい。延長部材３０の屈曲方向は上下方向に限定されるものではなく、水平方向に屈曲していてもよい。
【００３２】
床下用排水管１０は、例えば樹脂材で構成されており、射出成形法を利用して製造することができる。床下用排水管１０は、基礎コンクリート１の立ち上がり部分３を厚み方向に貫通するように配設され、立ち上がり部分３で囲まれた空間に溜まった水を基礎コンクリート１の外へ排水するための部材である。
【００３３】
床下用排水管１０は直管状に形成されている。床下用排水管１０の中心線方向の長さは、基礎コンクリート１の立ち上がり部分３の様々な厚みのうち、想定される最も薄い厚みの立ち上がり部分３に対応した長さとされている。すなわち、立ち上がり部分３の厚みは一定であるとは限らず、例えば住宅の規模や仕様、施工会社等によって異なっていることがあるが、その中でも最も薄い厚みの立ち上がり部分３は事前に想定しておくことができ、この最も薄い厚みの立ち上がり部分３の厚み寸法と、床下用排水管１０の中心線方向の寸法とを略一致させておく。なお、床下用排水管１０の中心線方向の寸法が、最も薄い厚みの立ち上がり部分３の厚み寸法より若干長くてもよい。
【００３４】
図３に示すように、床下用排水管１０の長手方向（中心線方向）一端部には、床下用排水管１０が立ち上がり部分２に配設された状態で当該立ち上がり部分２の外に向けて開口する略円形の排水口１０ａが形成されている。床下用排水管１０の一端部は、立ち上がり部分２の外面と面一となるように配置されていてもよいし、立ち上がり部分２の外面から窪むように配置されていてもよい。
【００３５】
通常時、即ち非排水時には、排水口１０ａが図２に示す蓋部材１１によって閉塞される。すなわち、図３に示すように、床下用排水管１０の一端部寄りの内周面には、蓋部材１１が嵌まる一端側段部１０ｅが形成されている。床下用排水管１０の内周面における一端側端部１０ｅの近傍には、径方向内方へ突出する突起部１０ｇが形成されている。床下用排水管１０の排水口１０ａが形成されている部分から突起部１０ｇが形成されている部分に亘る断面形状は略円形である。
【００３６】
一方、図２に示すように、蓋部材１１は、閉塞板部１１ａと、筒状部１１ｂとを備えており、これら閉塞板部１１ａ及び筒状部１１ｂは例えば射出成形法によって一体成形されている。閉塞板部１１ａは、床下用排水管１０の排水口１０ａを覆うことが可能な大きさの円形板状に成形されている。筒状部１１ｂは、床下用排水管１０の一端側段部１０ｅよりも奥まで挿入することが可能な円筒状に成形されている。筒状部１１ｂの外側には、弾性材からなるパッキン１２が配設されている。
【００３７】
筒状部１１ｂには、床下用排水管１０の突起部１０ｇが挿入される溝部１１ｃが形成されている。溝部１１ｃは、筒状部１１ｂの中心線方向に延びた後、周方向に延びるように屈曲した形状になっている。
【００３８】
蓋部材１１で床下用排水管１０の排水口１０ａを閉塞する場合には、まず、蓋部材１１の筒状部１１ｂを床下用排水管１０に差し込むとともに、床下用排水管１０の突起部１０ｇを溝部１１ｃに挿入する。所定量挿入すると、パッキン１２が床下用排水管１０の一端側段部１０ｅに当たり、一端側段部１０ｅと閉塞板部１１ａとによって押圧された状態になる。そして、蓋部材１１を中心線周りに回動させることにより、床下用排水管１０の突起部１０ｇを溝部１１ｃの奥側（周方向に延びる部分の奥側）に配置する。これにより、床下用排水管１０の突起部１０ｇが溝部１１ｃの周縁部に係合して蓋部材１１が床下用排水管１０に取り付けられた状態で保持される。このとき、パッキン１２によって蓋部材１１と床下用排水管１０との間がシールされる。蓋部材１１を床下用排水管１０から取り外す際には、蓋部材１１を取付時とは反対方向に回動させればよい。
【００３９】
図４に示すように、床下用排水管１０の断面形状は、排水口１０ａ側が略円形状であるのに対し、その反対側は下部が直線状をなす形状となっており、排水口１０ａ側からその反対側へ向かって断面形状が徐々に変化している。図３に示すように、床下用排水管１０の排水口１０ａ側とは反対側、即ち、床下用排水管１０の長手方向他端部には、当該床下用排水管１０を延長するための筒状の延長部材２０が接続可能な接続部としての排水管側嵌合筒部１０ｂが設けられている。
【００４０】
排水管側嵌合筒部１０ｂの下部は、水平方向に延びるように形成された水平部とされている。排水管側嵌合筒部１０ｂの水平部よりも上側部分は、上方へ向けて湾曲した形状とされている。排水管側嵌合筒部１０ｂの水平部の下方には、水平方向に連続する下側段部１０ｄが形成されている。
【００４１】
図４に示すように、排水管側嵌合筒部１０ｂの外周面には、複数の係合部１０ｃが周方向に互いに間隔をあけて設けられている。各係合部１０ｃは、排水管側嵌合筒部１０ｂの径方向外方へ向けて突出する凸部で構成されている。この実施形態では、係合部１０ｃの数を４つとしているが、係合部１０ｃの数は特に限られるものではなく、３つ以下であってもよいし、５つ以上であってもよい。
【００４２】
床下用排水管１０の下部は、水平方向に延びるように形成された底板部１０ｆで構成されている。底板部１０ｆは水平方向に延びる形状でなくてもよく、例えば図９に示す変形例１や図１０に示す変形例２のように、底板部１０ｆの外面が下方へ膨出するように形成されていてもよい。図９に示す変形例１では、底板部１０ｆの外面が湾曲面で構成されており、幅方向の中央部が最も下に位置し、その中央部から両端に近づくにつれて上に位置するように湾曲している。一方、図１０に示す変形例２では、底板部１０ｆの外面が傾斜面で構成されており、幅方向の中央部が最も下に位置し、その中央部から両端に近づくにつれて上に位置するように傾斜している。
【００４３】
（止水用シート）
図１２等に示すように、床下用排水管１０の外周面には止水用のゴムからなるシート１０Ａを巻き付けておくことができる。このシート１０Ａは、コンクリートに埋設されるように配置しておく。シート１０Ａには、防蟻剤としてのホウ酸またはホウ酸誘導体（ホウ酸銅、ホウ酸亜鉛、ホウ砂等）が配合されており、これにより防蟻処理を施すことができる。防蟻剤の配合量は、特に限定されるものではないが、例えば０．１質量％以上５質量％以下の範囲で設定することができる。シート１０Ａは、例えば、ブチル再生ゴム等で構成することができ、これ単独もしくは天然ゴム、合成ゴム、熱可塑性エラストマー等を混合したものであってもよい。シート１０Ａを構成する材料には、補強剤、充填剤、可塑剤、軟化剤、老化防止剤、粘着剤、加工助剤、着色剤、架橋剤等を適宜配合してもよい。
【００４４】
（延長部材の構成）
図２や図５〜７に示すように、延長部材２０は筒状に形成されており、延長部材２０の中心線方向の長さは、床下用排水管１０の中心線方向の長さよりも短く設定されている。具体的には、床下用排水管１０の中心線方向の長さを１５０ｍｍ程度とした場合、延長部材２０の中心線方向の長さは、１０ｍｍ〜３０ｍｍの範囲内で設定することができる。延長部材２０の長さは、例えば１０ｍｍピッチで排水経路を延長できるように設定するのが好ましい。
【００４５】
延長部材２０における床下用排水管１０との接続側に位置する接続側内周面２０ａは、排水管側嵌合筒部１０ｂが嵌まるように形成されている。具体的には、延長部材２０の接続側内周面２０ａは、床下用排水管１０の排水管側嵌合筒部１０ｂの外周面に沿うように形成されている。接続側内周面２０ａには、排水管側嵌合筒部１０ｂの係合部１０ｃが係合する凹部２０ｄが当該係合部１０ｃの形成位置に対応するように形成されている。また、延長部材２０の内周面には、接続側内周面２０ａよりも奥に位置するように段部２０ｅが形成されている。
【００４６】
床下用排水管１０の排水管側嵌合筒部１０ｂを延長部材２０の接続側内周面２０ａに嵌めると、床下用排水管１０の排水管側嵌合筒部１０ｂの先端部が延長部材２０の段部２０ｅに当たることによって段部２０ｅがストッパとなり、排水管側嵌合筒部１０ｂの挿入量が規制される。このとき、延長部材２０や排水管側嵌合筒部１０ｂが弾性変形しながら、係合部１０ｃも挿入されていき、係合部１０ｃが凹部２０ｄの形成部分に達した瞬間に、凹部２０ｄに入って係合する。これにより、延長部材２０が床下用排水管１０から外れ難くなる。
【００４７】
延長部材２０の床下用排水管１０との接続側と反対側は、延長部材側嵌合筒部２０ｂとされている。延長部材側嵌合筒部２０ｂは、床下用排水管１０の排水管側嵌合筒部１０ｂと同形状とされており、延長部材側嵌合筒部２０ｂの外周面には、係合部１０ｃと同様な係合部２０ｃが設けられている。延長部材側嵌合筒部２０ｂは、別の延長部材２０との接続が可能な部分であり、別の延長部材２０の接続側内周面２０ａに嵌まるようになっている。延長部材側嵌合筒部２０ｂを別の延長部材２０の接続側内周面２０ａに嵌めると、係合部２０ｃが凹部２０ｄに入って係合するので、延長部材２０同士を一体化することができる。
【００４８】
図８に示す屈曲管からなる延長部材３０は、中心線方向の一端部が他端部よりも上に位置するように曲がっている。延長部材３０の床下用排水管１０との接続側は、直管状の延長部材２０と同様に構成されており、また、延長部材３０の床下用排水管１０との接続側と反対側も、直管状の延長部材２０と同様に構成されている。したがって、直管状の延長部材２０の代わりに屈曲管からなる延長部材３０を使用することもでき、屈曲管からなる延長部材３０を床下用排水管１０に接続したり、屈曲管からなる延長部材３０に直管状の延長部材２０を接続することもできる。
【００４９】
（施工要領）
次に、床下用排水構造Ａの施工要領について説明する。まず、図１１に示すように、底盤コンクリート２が打設される部分と立ち上がり部分３のコンクリートが打設される分部に鉄筋４を配置する。この工程において型枠１００も設置しておく。
【００５０】
その後、図１２に示すように、底盤コンクリート２を打設する。底盤コンクリート２が半硬化状態になった時に、床下用排水管１０を載置する。例えば床下用排水管１０を底盤コンクリート２に押しつけることにより、床下用排水管１０の下側部分を底盤コンクリート２に埋め込んでおくことができる。このとき、床下用排水管１０の底板部１０ｆが水平方向に延びているので、床下用排水管１０が傾き難くなり、床下用排水管１０を狙い通りに設置することができる。
【００５１】
なお、図９に示す変形例１や図１０に示す変形例２のように底板部１０ｆが膨出した形状となっている場合には、床下用排水管１０の下面を硬化前の底盤コンクリート２に押しつけることにより、床下用排水管１０の下面と底盤コンクリート２との間の空気を抜くことができる。
【００５２】
次いで、図１３に示すように、内側の型枠１０１を設置する。これにより、床下用排水管１０は中心線方向両側から型枠１００、１０１によって挟まれた状態になる。その後、立ち上がり部分３のコンクリートを打設する。立ち上がり部分３のコンクリートが硬化して型枠１００、１０１を撤去すると、図１に示すように、床下用排水管１０が立ち上がり部分３を厚み方向に貫通するように配設された床下用排水構造Ａが得られる。
【００５３】
図１に示す例は、延長部材２０、３０を設けることなく、床下用排水管１０によって排水経路を構成した例であり、最も薄い厚みの立ち上がり部分３に適用した場合である。立ち上がり部分３の厚みが図１に示す例よりも厚い例を図１４〜図１６に示す。
【００５４】
図１４は、底盤コンクリート２の打設後、床下用排水管１０を設置した状態を示しており、立ち上がり部分３が厚くなる分、直管状の延長部材２０と屈曲管からなる延長部材３０とを接続して使用している。また、この例では、床下用排水管１０の排水口１０ａを下に位置付けながら、内側の開口１０Ｂを上に配置するために、屈曲管からなる延長部材３０を使用しているが、単に立ち上がり部分３を厚くすればよい場合には、屈曲管からなる延長部材３０を省略して直管状の延長部材２０のみ接続すればよい。屈曲管からなる延長部材３０を用いることで、鉄筋４を避けながら排水経路を構成することができる。
【００５５】
図１５は、床下用排水管１０及び延長部材２０、３０を設置した後に、型枠１０１を設置し、立ち上がり部分３のコンクリートを打設した状態を示している。その後、立ち上がり部分３のコンクリートが硬化して型枠１００、１０１を撤去すると、図１６に示すように、床下用排水管１０及び延長部材２０、３０が立ち上がり部分３を厚み方向に貫通するように配設された床下用排水構造Ａが得られる。
【００５６】
（実施形態の作用効果）
以上説明したように、この実施形態に係る床下用排水構造Ａによれば、基礎コンクリート１の立ち上がり部分３の様々な厚みのうち、想定される最も薄い厚みの立ち上がり部分３に対応した長さの床下用排水管１０と、複数の延長部材２０、３０とを用意しておき、施工時、最も薄い厚みの立ち上がり部分３に対しては、床下用排水管１０のみを配設することで、立ち上がり部分３で囲まれた空間に溜まった水を排水することができる。立ち上がり部分３が厚い場合には、必要に応じて延長部材２０、３０を床下用排水管１０に接続することで、立ち上がり部分３の厚みに対応した長さにすることができる。
【００５７】
上述の実施形態はあらゆる点で単なる例示に過ぎず、限定的に解釈してはならない。さらに、特許請求の範囲の均等範囲に属する変形や変更は、全て本発明の範囲内のものである。
【００５８】
なお、床下用排水管１０の係合部１０ｃを凹部とし、延長部材２０に凸部を形成し、延長部材２０の凸部を床下用排水管１０の凹部に係合させるようにしてもよい。
【産業上の利用可能性】
【００５９】
以上説明したように、本発明に係る床下用排水構造は、例えば住宅の基礎に設けることができる。
【符号の説明】
【００６０】
１            基礎コンクリート
２            底盤コンクリート
３            立ち上がり部分
１０          床下用排水管
１０ａ        排水口
１０ｂ        排水管側嵌合筒部（接続部）
１０ｃ        係合部
１０ｆ        底板部
２０          延長部材
２０ｂ        延長部材側嵌合筒部
３０          延長部材（屈曲管）
Ａ            床下用排水構造
【図１】
0006916546.tif 000002
【図２】
0006916546.tif 000003
【図３】
0006916546.tif 000004
【図４】
0006916546.tif 000005
【図５】
0006916546.tif 000006
【図６】
0006916546.tif 000007
【図７】
0006916546.tif 000008
【図８】
0006916546.tif 000009
【図９】
0006916546.tif 000010
【図１０】
0006916546.tif 000011
【図１１】
0006916546.tif 000012
【図１２】
0006916546.tif 000013
【図１３】
0006916546.tif 000014
【図１４】
0006916546.tif 000015
【図１５】
0006916546.tif 000016
【図１６】
0006916546.tif 000017